(57)【特許請求の範囲】
【請求項１】
複数の単語を含むメッセージを取得する取得処理部と、
前記メッセージを表示部における予め設定された表示領域に表示させる表示処理部と、
前記メッセージの表示サイズが前記表示領域のサイズを超える場合に、前記表示処理部により表示される前記メッセージに含まれる複数の前記単語のうち予め定められた一又は複数の特定単語の文字サイズを縮小する文字縮小処理、及び当該メッセージに含まれる複数の前記単語のうち一又は複数の前記特定単語を削除する削除処理のいずれか一方又は両方を実行する縮小処理部と、
を備え、
前記取得処理部が、前記メッセージに含まれる複数の前記単語から前記特定単語を識別する識別情報が付加された前記メッセージを取得し、
前記識別情報が、複数の前記特定単語に対する前記文字縮小処理又は前記削除処理の実行順序を示す情報を含み、
前記縮小処理部が、前記メッセージの表示サイズが前記表示領域のサイズ以下になるまで、前記識別情報により識別される複数の前記特定単語各々に対して前記識別情報で定められた順序で前記文字縮小処理又は前記削除処理を実行する表示装置。
【請求項２】
前記縮小処理部が、前記文字縮小処理及び前記削除処理のいずれか一方の処理の実行後の前記メッセージの表示サイズが前記表示領域のサイズを超える場合に他方の処理を実行する請求項１に記載の表示装置。
【請求項３】
請求項１又は２に記載の表示装置を備える情報処理装置。
【請求項４】
原稿から画像データを読取可能な画像読取部、及び画像データに基づいて画像を形成可能な画像形成部のいずれか一方又は両方を備える請求項３に記載の情報処理装置。
【請求項５】
複数の単語を含むメッセージを取得する第１ステップと、
前記メッセージを表示部における予め設定された表示領域に表示させる第２ステップと、
前記メッセージの表示サイズが前記表示領域のサイズを超える場合に、前記第２ステップにより表示される前記メッセージに含まれる複数の前記単語のうち予め定められた一又は複数の特定単語の文字サイズを縮小する文字縮小処理、及び当該メッセージに含まれる複数の前記単語のうち一又は複数の前記特定単語を削除する削除処理のいずれか一方又は両方を実行する第３ステップと、
を含み、
前記第１ステップでは、前記メッセージに含まれる複数の前記単語から前記特定単語を識別する識別情報が付加された前記メッセージが取得され、
前記識別情報が、複数の前記特定単語に対する前記文字縮小処理又は前記削除処理の実行順序を示す情報を含み、
前記第３ステップでは、前記メッセージの表示サイズが前記表示領域のサイズ以下になるまで、前記識別情報により識別される複数の前記特定単語各々に対して前記識別情報で定められた順序で前記文字縮小処理又は前記削除処理が実行されるメッセージ表示方法。
【発明の詳細な説明】
【技術分野】
【０００１】
本発明は、表示装置、表示装置を備える情報処理装置、及び表示装置で実行されるメッセージ表示方法に関する。
【背景技術】
【０００２】
一般に、画像データに基づいて画像を形成するプリンターのような情報処理装置が知られている。この種の情報処理装置は、液晶ディスプレーなどの表示部を備えることがある。例えば、前記表示部では、情報処理装置からユーザーに向けてのメッセージが、表示部において予め設定されたメッセージ表示領域の範囲内に表示される（例えば、特許文献１参照）。
【先行技術文献】
【特許文献】
【０００３】
【特許文献１】特開２０１０−２１９３８号公報
【発明の概要】
【発明が解決しようとする課題】
【０００４】
ところで、情報処理装置の機種が異なれば、表示部に表示可能なメッセージ表示領域のサイズが異なる場合がある。例えば、情報処理装置の機種によって表示部のサイズが異なる場合には、表示部に表示可能なメッセージ表示領域のサイズも異なる。ここで、情報処理装置の異なる機種に共通のメッセージが用いられる場合には、そのメッセージの表示サイズがメッセージ表示領域のサイズを超えることがある。これに対し、メッセージ全体の文字サイズの縮小又はメッセージの一部削除などが行われることが考えられる。しかしながら、メッセージにより伝達される情報内容と無関係にこれらの処理が実行されると、メッセージの伝達性が大きく損なわれることがある。
【０００５】
本発明の目的は、表示部に表示されるメッセージの表示サイズが縮小されることによるメッセージの伝達性の低下を抑制可能な表示装置、情報処理装置、及びメッセージ表示方法を提供することにある。
【課題を解決するための手段】
【０００６】
本発明の一の局面に係る表示装置は、取得処理部と、表示処理部と、縮小処理部とを備える。前記取得処理部は、複数の単語を含むメッセージを取得する。前記表示処理部は、前記メッセージを表示部における予め設定された表示領域に表示させる。前記縮小処理部は、前記メッセージの表示サイズが前記表示領域のサイズを超える場合に、前記表示処理部により表示される前記メッセージに含まれる複数の前記単語のうち予め定められた一又は複数の特定単語の表示サイズを縮小する。
【０００７】
本発明の他の局面に係る情報処理装置は、表示装置を備える。前記表示装置は、取得処理部と、表示処理部と、縮小処理部とを備える。前記取得処理部は、複数の単語を含むメッセージを取得する。前記表示処理部は、前記メッセージを表示部における予め設定された表示領域に表示させる。前記縮小処理部は、前記メッセージの表示サイズが前記表示領域のサイズを超える場合に、前記表示処理部により表示される前記メッセージに含まれる複数の前記単語のうち予め定められた一又は複数の特定単語の表示サイズを縮小する。
【０００８】
本発明の他の局面に係るメッセージ表示方法は、以下の第１ステップから第３ステップまでを含む。前記第１ステップは、複数の単語を含むメッセージを取得する。前記第２ステップは、前記メッセージを表示部における予め設定された表示領域に表示させる。前記第３ステップは、前記メッセージの表示サイズが前記表示領域のサイズを超える場合に、前記第２ステップにより表示される前記メッセージに含まれる複数の前記単語のうち予め定められた一又は複数の特定単語の表示サイズを縮小する。
【発明の効果】
【０００９】
本発明によれば、表示部に表示されるメッセージの表示サイズが縮小されることによるメッセージの伝達性の低下を抑制可能な表示装置、情報処理装置、及びメッセージ表示方法が実現される。
【図面の簡単な説明】
【００１０】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の記憶部に記憶されるメッセージの一例を示す図である。
【図４】図４は、本発明の実施形態に係る画像処理装置の記憶部に記憶されるメッセージの一例を示す図である。
【図５】図５は、本発明の実施形態に係る画像処理装置で実行されるメッセージ表示処理の一例を示すフローチャートである。
【図６Ａ】図６Ａは、本発明の実施形態に係る画像処理装置の操作表示部に表示されるメッセージの一例を示す図である。
【図６Ｂ】図６Ｂは、本発明の実施形態に係る画像処理装置の操作表示部に表示されるメッセージの一例を示す図である。
【図６Ｃ】図６Ｃは、本発明の実施形態に係る画像処理装置の操作表示部に表示されるメッセージの一例を示す図である。
【図７Ａ】図７Ａは、本発明の実施形態に係る画像処理装置の操作表示部に表示されるメッセージの一例を示す図である。
【図７Ｂ】図７Ｂは、本発明の実施形態に係る画像処理装置の操作表示部に表示されるメッセージの一例を示す図である。
【図７Ｃ】図７Ｃは、本発明の実施形態に係る画像処理装置の操作表示部に表示されるメッセージの一例を示す図である。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１３】
図１及び図２に示すように、画像処理装置１０は、ＡＤＦ１、画像読取部２、画像形成部３、給紙部４、制御部５、操作表示部６、及び記憶部７を備える。ここに、制御部５及び操作表示部６を備える装置が、本発明における表示装置の一例である。また、画像処理装置１０が、本発明における情報処理装置の一例である。
【００１４】
画像処理装置１０は、原稿から画像データを読み取るスキャン機能、及び画像データに基づいて画像を形成するプリント機能と共に、ファクシミリ機能、又はコピー機能などの複数の機能を有する複合機である。なお、本発明は、スキャナー装置、プリンター装置、ファクシミリ装置、コピー機、パーソナルコンピューター、スマートフォン、テレビ、空気調和器、洗濯機、冷蔵庫、電子レンジなどの情報処理装置に適用可能である。
【００１５】
ＡＤＦ１は、不図示の原稿セット部、複数の搬送ローラー、原稿押さえ、及び排紙部を備え、画像読取部２によって読み取られる原稿を搬送する自動原稿搬送装置である。画像読取部２は、不図示の原稿台、光源、複数のミラー、光学レンズ、及びＣＣＤ（Charge Coupled Device）を備え、原稿から画像データを読み取ることが可能である。
【００１６】
画像形成部３は、画像読取部２で読み取られた画像データ又は外部のパーソナルコンピューター等の情報処理装置から入力された画像データに基づいて、電子写真方式でカラー又はモノクロの画像を形成する画像形成処理（印刷処理）を実行可能である。具体的に、画像形成部３は、Ｃ（シアン）、Ｍ（マゼンタ）、Ｙ（イエロー）、及びＫ（ブラック）に対応する複数の画像形成ユニット、光走査装置（ＬＳＵ）、中間転写ベルト、二次転写ローラー、定着装置、及び排紙トレイを備える。そして、画像形成部３では、給紙部４から供給されるシートにカラー又はモノクロの画像が形成されて、画像形成後の前記シートが前記排紙トレイに排出される。
【００１７】
制御部５は、不図示のＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１８】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。ここに、操作表示部６が、本発明における表示部の一例である。
【００１９】
記憶部７は、ＳＳＤ（ソリッドステートドライブ）又はＨＤＤ（ハードディスクドライブ）などの記憶装置である。なお、制御部５にＥＥＰＲＯＭ（登録商標）などの不揮発性メモリーが設けられており、記憶部７が省略されることも考えられる。
【００２０】
ところで、画像処理装置１０のような情報処理装置では、情報処理装置からユーザーに向けてのメッセージが、操作表示部６において予め設定されたメッセージ表示領域の範囲内に表示される。ここで、情報処理装置の機種が異なれば、操作表示部６に表示可能な前記メッセージ表示領域のサイズが異なる場合がある。例えば、情報処理装置の機種によって操作表示部６の前記表示部のサイズが異なる場合には、操作表示部６に表示可能な前記メッセージ表示領域のサイズも異なる。ここで、情報処理装置の異なる機種に共通のメッセージが用いられる場合には、そのメッセージの表示サイズが前記メッセージ表示領域のサイズを超えることがある。これに対し、メッセージ全体の文字サイズの縮小又はメッセージの一部削除などが行われることが考えられる。しかしながら、メッセージにより伝達される情報内容と無関係にこれらの処理が実行されると、メッセージの伝達性が大きく損なわれることがある。これに対し、本発明の実施形態に係る画像処理装置１０では、以下に説明するように、操作表示部６に表示されるメッセージの表示サイズが縮小されることによるメッセージの伝達性の低下を抑制することが可能である。
【００２１】
具体的に、制御部５の前記ＲＯＭには、前記ＣＰＵに後述のメッセージ表示処理（図５のフローチャート参照）を実行させるためのメッセージ表示プログラムが予め記憶されている。なお、前記メッセージ表示プログラムは、ＣＤ、ＤＶＤ、フラッシュメモリーなどのコンピューター読み取り可能な記録媒体に記録されており、前記記録媒体から読み取られて記憶部７にインストールされるものであってもよい。
【００２２】
そして、制御部５は、図２に示すように、取得処理部５１、表示処理部５２、判断処理部５３、及び縮小処理部５４を含む。具体的に、制御部５は、前記ＣＰＵを用いて前記ＲＯＭに記憶されている前記メッセージ表示プログラムを実行することにより、取得処理部５１、表示処理部５２、判断処理部５３、及び縮小処理部５４として機能する。
【００２３】
取得処理部５１は、複数の単語を含むメッセージを取得する。例えば、取得処理部５１は、予め定められたメッセージ表示条件を満たす場合に、前記メッセージ表示条件に対応する前記メッセージを取得する。例えば、前記メッセージ表示条件は、画像処理装置１０で予め定められた処理が開始され又は終了したこと、操作表示部６に表示される操作画面の切り替わりを伴う操作が操作表示部６において行われたこと、画像処理装置１０において予め定められたエラーが発生したこと、前記シートの補充時期が到来したこと、前記画像形成ユニット各々にトナーを供給するトナーコンテナの交換時期が到来したこと等を含む。
【００２４】
ここで、前記メッセージには、前記メッセージに含まれる複数の前記単語のうち、予め定められた一又は複数の特定単語を識別する識別情報が付加されている。前記特定単語は、前記メッセージが表示される場合において表示サイズを縮小することが可能な前記単語であって、前記メッセージごとに予め設定されている。即ち、画像処理装置１０では、前記メッセージが表示される場合において、前記メッセージに含まれる複数の前記単語のうち、前記特定単語以外の前記単語は表示サイズが縮小されることがない。なお、前記特定単語は、複数の前記メッセージで共通して設定されるものであってもよい。
【００２５】
例えば、画像処理装置１０では、前記識別情報が付加された複数の前記メッセージが予め記憶部７に格納されている。取得処理部５１は、前記メッセージ表示条件を満たす場合に、前記メッセージ表示条件に対応する前記メッセージを、前記メッセージに付加された前記識別情報と共に記憶部７から取得する。
【００２６】
表示処理部５２は、取得処理部５１により取得される前記メッセージを、操作表示部６における予め設定された表示領域に表示させる。例えば、前記表示領域は、操作表示部６に表示される操作画面ごとに予め設定された領域である。なお、表示処理部５２が、前記メッセージ表示条件を満たす場合に、予め定められたサイズの前記表示領域を操作表示部６に表示させてもよい。
【００２７】
判断処理部５３は、取得処理部５１により取得される前記メッセージの表示サイズが、前記表示領域のサイズを超えるか否かを判断する。具体的に、判断処理部５３は、前記メッセージに含まれる文字数及び文字各々の文字サイズに基づいて、前記メッセージの表示サイズが前記表示領域のサイズを超えるか否かを判断する。
【００２８】
縮小処理部５４は、判断処理部５３により前記メッセージの表示サイズが前記表示領域のサイズを超えると判断された場合に、表示処理部５２により表示される前記メッセージに含まれる複数の前記単語のうち、一又は複数の前記特定単語の表示サイズを縮小する。例えば、縮小処理部５４は、前記メッセージに付加された前記識別情報に基づいて、前記メッセージに含まれる前記特定単語を識別する。
【００２９】
具体的に、縮小処理部５４は、前記特定単語の文字サイズを縮小する文字縮小処理及び前記特定単語を削除する削除処理のいずれか一方又は両方を実行する。例えば、縮小処理部５４は、前記メッセージに含まれる一又は複数の前記特定単語に対する前記文字縮小処理の実行後の前記メッセージの表示サイズが前記表示領域のサイズを超える場合に、前記メッセージに含まれる一又は複数の前記特定単語に対して前記削除処理を実行する。
【００３０】
なお、縮小処理部５４は、前記特定単語に含まれる文字各々が全角のカタカナである場合に、半角のカタカナに変換して前記特定単語の表示サイズを縮小してもよい。また、縮小処理部５４は、前記特定単語の削除に替えて、前記特定単語を予め定められた省略記号に置換してもよい。
【００３１】
また、縮小処理部５４は、前記メッセージの表示サイズが前記表示領域のサイズ以下になるまで、複数の前記特定単語各々に対して予め定められた順序で前記文字縮小処理又は前記削除処理を実行する。例えば、縮小処理部５４は、前記メッセージの末尾側に配置された前記特定単語から先頭側に配置された前記特定単語の順に、前記文字縮小処理又は前記削除処理を実行する。なお、前記識別情報に、複数の前記特定単語に対する前記文字縮小処理又は前記削除処理の実行順序を示す情報が含まれていてもよい。
【００３２】
ここで、記憶部７に格納される前記メッセージの一例として、メッセージＭ１を図３に示す。メッセージＭ１は、複数の単語Ｗ１１〜Ｗ１６を含む。メッセージＭ１には、メッセージＭ１に含まれる単語Ｗ１１〜Ｗ１６のうち、予め定められた一又は複数の前記特定単語を識別する不図示の前記識別情報が付加されている。例えば、メッセージＭ１では、単語Ｗ１４〜Ｗ１６が前記特定単語に定められている。
【００３３】
また、記憶部７に格納される前記メッセージの他の一例として、メッセージＭ２を図４に示す。メッセージＭ２は、複数の単語Ｗ２１〜Ｗ２５を含む。メッセージＭ２には、メッセージＭ２に含まれる単語Ｗ２１〜Ｗ２５のうち、予め定められた一又は複数の前記特定単語を識別する不図示の前記識別情報が付加されている。例えば、メッセージＭ２では、単語Ｗ２２、単語Ｗ２３、及び単語Ｗ２５が前記特定単語に定められている。また、メッセージＭ２に付加された前記識別情報では、前記文字縮小処理又は前記削除処理の実行順序が、単語Ｗ２３、単語Ｗ２２、及び単語Ｗ２５の順に定められている。
【００３４】
［メッセージ表示処理］
以下、図５を参照しつつ、画像処理装置１０において制御部５により実行されるメッセージ表示処理の手順の一例について説明する。ここで、ステップＳ１、Ｓ２・・・は、制御部５により実行される処理手順（ステップ）の番号を表している。
【００３５】
＜ステップＳ１＞
まず、ステップＳ１において、制御部５は、前記メッセージ表示条件を充足したか否かを判断する。
【００３６】
ここで、制御部５は、前記メッセージ表示条件を充足したと判断すると（Ｓ１のＹｅｓ側）、処理をステップＳ２に移行させる。また、前記メッセージ表示条件を充足していなければ（Ｓ１のＮｏ側）、制御部５は、ステップＳ１で前記メッセージ表示条件の充足を待ち受ける。
【００３７】
＜ステップＳ２＞
ステップＳ２において、制御部５は、ステップＳ１で充足したと判断された前記メッセージ表示条件に対応する前記メッセージを、前記メッセージに付加された前記識別情報と共に記憶部７から取得する。ここに、ステップＳ２の処理が、本発明における第１ステップの一例であって、制御部５の取得処理部５１により実行される。
【００３８】
＜ステップＳ３＞
ステップＳ３において、制御部５は、ステップＳ２で取得された前記メッセージの表示サイズが、操作表示部６に表示されている前記表示領域のサイズを超えるか否かを判断する。具体的に、制御部５は、前記メッセージに含まれる文字数及び文字各々の文字サイズに基づいて、前記メッセージの表示サイズが前記表示領域のサイズを超えるか否かを判断する。ここで、ステップＳ３の処理は、制御部５の判断処理部５３により実行される。
【００３９】
ここで、制御部５は、前記メッセージの表示サイズが前記表示領域のサイズを超えると判断すると（Ｓ３のＹｅｓ側）、処理をステップＳ４に移行させる。また、前記メッセージの表示サイズが前記表示領域のサイズを超えていなければ（Ｓ３のＮｏ側）、制御部５は、処理をステップＳ７に移行させる。
【００４０】
＜ステップＳ４＞
ステップＳ４において、制御部５は、ステップＳ２で取得された前記メッセージに対して前記文字縮小処理を実行する。具体的に、制御部５は、前記メッセージに付加された前記識別情報によって識別される全ての前記特定単語の文字サイズを予め定められたサイズに縮小する。
【００４１】
＜ステップＳ５＞
ステップＳ５において、制御部５は、ステップＳ４で前記文字縮小処理が実行された後の前記メッセージの表示サイズが、前記表示領域のサイズを超えるか否かを判断する。
【００４２】
ここで、制御部５は、前記文字縮小処理後の前記メッセージの表示サイズが前記表示領域のサイズを超えると判断すると（Ｓ５のＹｅｓ側）、処理をステップＳ６に移行させる。また、前記文字縮小処理後の前記メッセージの表示サイズが前記表示領域のサイズを超えていなければ（Ｓ５のＮｏ側）、制御部５は、処理をステップＳ７に移行させる。
【００４３】
＜ステップＳ６＞
ステップＳ６において、制御部５は、ステップＳ４で前記文字縮小処理が実行される前の前記メッセージに対して前記削除処理を実行する。例えば、制御部５は、前記メッセージの末尾側に配置された一つの前記特定単語を削除する。ここに、ステップＳ４及びステップＳ６の処理が、本発明における第３ステップの一例であって、制御部５の縮小処理部５４により実行される。
【００４４】
制御部５は、ステップＳ６の処理の実行後、再度ステップＳ３の処理を実行する。ここで、制御部５は、再度のステップＳ３の処理において、ステップＳ６で前記削除処理が実行された後の前記メッセージの表示サイズが前記表示領域のサイズを超えるか否かを判断する。そして、制御部５は、再度のステップＳ３の処理において前記削除処理が実行された後の前記メッセージの表示サイズが前記表示領域のサイズを超えると判断した場合に、再度ステップＳ４の処理を実行する。具体的に、制御部５は、再度のステップＳ４の処理において、前記削除処理が実行された後の前記メッセージに含まれるすべての前記特定単語の文字サイズを縮小する。
【００４５】
以降、制御部５は、ステップＳ４での前記文字縮小処理の実行前又は実行後の前記メッセージの表示サイズが前記表示領域のサイズ以下になるまで、ステップＳ６の処理を繰り返し実行して前記特定文字を順次削除する。
【００４６】
＜ステップＳ７＞
一方、ステップＳ３又はステップＳ５において、前記メッセージの表示サイズが前記表示領域のサイズを超えないと判断された場合に、制御部５はステップＳ７の処理を実行する。ステップＳ７において、制御部５は、前記メッセージを前記表示領域に表示させる。ここに、ステップＳ７の処理が、本発明における第２ステップの一例であって、制御部５の表示処理部５２により実行される。
【００４７】
具体的に、制御部５は、ステップＳ３の処理に続いてステップＳ７の処理を実行する場合に、前記削除処理の実行回数に応じて前記特定単語が削除された後の前記メッセージを前記表示領域に表示させる。また、制御部５は、ステップＳ５の処理に続いてステップＳ７の処理を実行する場合に、前記削除処理の実行回数に応じて前記特定単語が削除され、残存する全ての前記特定単語の文字サイズが縮小された後の前記メッセージを前記表示領域に表示させる。これにより、前記メッセージの表示サイズが前記表示領域のサイズ以下に抑えられる。
【００４８】
ここで、ステップＳ７で操作表示部６に表示される前記メッセージの一例を図６Ａ〜図６Ｃに示す。なお、図６Ａ〜図６Ｃでは、複数のサイズの表示領域Ａ１〜Ａ３各々に表示されたメッセージＭ１が示されている。
【００４９】
例えば、図６Ａに示すように、メッセージＭ１の表示サイズを超えるサイズを有する表示領域Ａ１では、メッセージＭ１がそのままの状態で表示される。また、図６Ｂ〜図６Ｃに示すように、メッセージＭ１の表示サイズ未満のサイズを有する表示領域Ａ２〜Ａ３では、前記文字縮小処理又は前記削除処理が実行された後のメッセージＭ１が表示される。具体的に、図６Ｂに示す表示領域Ａ２では、特定単語Ｗ１４〜Ｗ１６に対して前記文字縮小処理が実行された後のメッセージＭ１が表示される。また、図６Ｃに示す表示領域Ａ３では、特定単語Ｗ１５〜Ｗ１６に対して前記削除処理が実行された後のメッセージＭ１が表示される。
【００５０】
また、ステップＳ７で操作表示部６に表示される前記メッセージの他の一例を図７Ａ〜図７Ｃに示す。なお、図７Ａ〜図７Ｃでは、複数のサイズの表示領域Ａ４〜Ａ６各々に表示されたメッセージＭ２が示されている。
【００５１】
例えば、図７Ａに示すように、メッセージＭ２の表示サイズを超えるサイズを有する表示領域Ａ４では、メッセージＭ２がそのままの状態で表示される。また、図７Ｂ〜図７Ｃに示すように、メッセージＭ２の表示サイズ未満のサイズを有する表示領域Ａ５〜Ａ６では、前記文字縮小処理又は前記削除処理が実行された後のメッセージＭ２が表示される。具体的に、図７Ｂに示す表示領域Ａ５では、特定単語Ｗ２２、特定単語Ｗ２３、及び特定単語２５に対して前記文字縮小処理が実行された後のメッセージＭ２が表示される。また、図７Ｃに示す表示領域Ａ６では、メッセージＭ２に付加された前記識別情報に含まれる前記削除処理の実行順序に従って特定単語Ｗ２２〜Ｗ２３に対して前記削除処理が実行された後のメッセージＭ２が表示される。
【００５２】
なお、前記メッセージ表示処理において、ステップＳ４の処理及びステップＳ６の処理の実行順序を逆にしてもよい。また、ステップＳ４において、制御部５は、前記メッセージに含まれる一又は複数の前記特定単語のうち、前記メッセージの末尾側に配置された一つの前記特定単語に対して前記文字縮小処理を実行してもよい。また、ステップＳ４及びステップＳ６において、制御部５は、前記メッセージに付加された前記情報で定められた順序に従って、複数の前記特定単語に対して順次前記文字縮小処理又は前記削除処理を実行してもよい。
【００５３】
このように、前記メッセージ表示処理では、前記表示領域に表示される前記メッセージが前記表示領域のサイズを超える場合に、前記メッセージに含まれる予め定められた一又は複数の前記特定単語に対して前記文字縮小処理又は前記削除処理が実行されて、前記メッセージの表示サイズが縮小される。即ち、画像処理装置１０では、前記メッセージに含まれる複数の単語のうち前記メッセージにより伝達される情報内容との関係で重要でない単語を前記特定単語と定めることで、前記メッセージの表示サイズが縮小された場合の前記メッセージの伝達性の低下を抑制することが可能である。
【符号の説明】
【００５４】
１  ：ＡＤＦ
２  ：画像読取部
３  ：画像形成部
４  ：給紙部
５  ：制御部
５１：取得処理部
５２：表示処理部
５３：判断処理部
５４：縮小処理部
６  ：操作表示部
７  ：記憶部
１０：画像処理装置
【図１】
0006295977.tif 000002
【図２】
0006295977.tif 000003
【図３】
0006295977.tif 000004
【図４】
0006295977.tif 000005
【図５】
0006295977.tif 000006
【図６Ａ】
0006295977.tif 000007
【図６Ｂ】
0006295977.tif 000008
【図６Ｃ】
0006295977.tif 000009
【図７Ａ】
0006295977.tif 000010
【図７Ｂ】
0006295977.tif 000011
【図７Ｃ】
0006295977.tif 000012